(57)【特許請求の範囲】
【請求項１】
基端側にホース接続部を有する第１導水管と、先端側にノズル接続部を有する第２導水管とを備え、第２導水管は、第１導水管に対して垂直方向に屈曲して接続され、
前記第１導水管の長さを前記第２導水管の長さより相対的に長くし、
前記第１導水管のホース接続部近傍の、前記第２導水管の屈曲方向に突出する第１のハンドルを設け、
前記第２導水管の接続部の、前記第２導水管の屈曲方向に突出する第２のハンドルと、当該屈曲方向とは反対側に突出する第３のハンドルとを設けることを特徴とする管槍。
【請求項２】
基端側にホース接続部を有する第１導水管と、先端側にノズル接続部を有する第２導水管とを備え、第２導水管は、第１導水管に対して垂直方向に屈曲して接続され、
前記第１導水管を回動可能に挟んで保持する管槍支持体をさらに有し、
前記管槍支持体は、折りたたみ可能に設けられた支持脚を有することを特徴とする管槍。
【請求項３】
請求項２に記載の管槍において、
前記支持脚の中間部に、貫通孔を設けることを特徴とする管槍。
【請求項４】
請求項２又は３のいずれか１項に記載の管槍において、
前記第１導水管と前記管槍支持体とに、両者間の相対角度変位を示す角度表示器を有することを特徴とする管槍。
【請求項５】
請求項２から４のいずれか１項に記載の管槍において、
前記第１導水管の長さを前記第２導水管の長さより相対的に長くすることを特徴とする管槍。
【請求項６】
請求項５に記載の管槍において、
前記第１導水管のホース接続部近傍の、前記第２導水管の屈曲方向に突出する第１のハンドルを設け、
前記第２導水管の接続部の、前記第２導水管の屈曲方向に突出する第２のハンドルと、当該屈曲方向とは反対側に突出する第３のハンドルとを設けることを特徴とする管槍。
【請求項７】
請求項１から６のいずれか１項に記載の管槍において、
前記第１導水管のホース接続部近傍に、一対の突起部を設けることを特徴とする管槍。
【請求項８】
請求項１から７のいずれか１項に記載の管槍において、
前記第１導水管内に整流板を設けることを特徴とする管槍。
【請求項９】
請求項１から８のいずれか１項に記載の管槍において、
前記第１導水管は、ホース接続部側の内径が大きく、前記第２導水管との接続部側に向かって内径が絞られるテーパー構造であることを特徴とする管槍。
【請求項１０】
請求項１から９のいずれか１項に記載の管槍のノズル接続部にノズルを装着して構成されることを特徴とする放水具。
【請求項１１】
請求項２から６のいずれか１項に記載の管槍のノズル接続部にノズルを装着し、ホース接続部にホースを接続して放水する方法において、
前記管槍を目的の相対角度となるよう角度変位させて前記管槍支持体に固定して放水を行うことを特徴とする放水方法。
【請求項１２】
請求項２から６のいずれか１項に記載の管槍のノズル接続部にノズルを装着し、ホース接続部にホースを接続して放水する方法において、
前記ホース接続部に９０度エルボを介してホースを接続し、
前記ノズルの突出方向と前記ホースの接続方向とが反対方向となるように、前記管槍を角度変位させて前記管槍支持体に固定して放水を行うことを特徴とする放水方法。
【請求項１３】
請求項３に記載の管槍のノズル接続部にノズルを装着し、ホース接続部にホースを接続して放水する方法において、
前記ホース接続部に９０度エルボを介してホースを接続し、
前記ノズルの突出方向と前記ホースの接続方向とが反対方向となるように、前記管槍を角度変位させて前記管槍支持体に固定し、
前記貫通孔にペグを打ち込んで、前記管槍支持体を地面に固定した状態で放水を行うことを特徴とする放水方法。
【発明の詳細な説明】
【技術分野】
【０００１】
本出願は、高圧で放水するための技術に係り、特に、管槍、それを用いた放水具、及び、放水方法に関する。
【背景技術】
【０００２】
一般に、消防用の放水具は、管槍と、その先端に設けられるノズル（ストレートタイプ、散水タイプなど）とを有する。使用時には、管槍の基端をホースにつなぎ、ポンプ又は消火栓からの水を、管槍を通してノズルから放出する。放水時は、水圧が強く、その反力を支えるだけで体力を使う。管槍は、人が抱えて扱うことが基本であり、消防士は、行動しにくい狭所など、危険なところに入る必要がある。このため、放水時に、消火作業を行う消防士に大きな負担を掛け、消火作業において最大の問題となっている。
【０００３】
この問題に対処するための技術として、放水時の放水圧力の反動、特に、放水開始時の反動を少なくするため、基端側と先端側とに角度を持たせた管槍が開示されている（特許文献１）。
【先行技術文献】
【特許文献】
【０００４】
【特許文献１】特開昭５８−１０９０７１号公報
【発明の概要】
【発明が解決しようとする課題】
【０００５】
上記特許文献１に開示される管槍は、放水時に、先端の放水方向が水平より斜め上に向くように抱えている場合には、反動の減少を感じられるかもしれない。しかし、それ以外の方向に向けると、激しい反動が生じてしまう。また、放水開始時の反動の方向を予測しにくく、扱いづらい。さらに、地面に置いた場合に、左右に傾いた場合には、倒れやすい。その上、放水した状態で地面に落とした場合、反動の方向がランダムに激しく変化し、ホースがのたうち回ることもある。
【０００６】
本発明は、消防士が持って扱うことができる他、地面に設置しても安定に放水が行え、無人放水を可能とする技術を提供することを目的とする。
【課題を解決するための手段】
【０００７】
本願は、一実施態様として、基端側にホース接続部を有する第１導水管と、先端側にノズル接続部を有する第２導水管とを備え、第２導水管は、第１導水管に対して垂直方向に屈曲し、一体的に接続される管槍を提供する。
【０００８】
また、本願は、他の実施態様として、第１導水管を、ホース接続部側の内径が大きく、第２導水管との接続部側に向かって内径が絞られるテーパー構造とする管槍を提供する。
【０００９】
上述した各実施態様において、管槍１０は、第１導水管の長さを第２導水管の長さより相対的に長くなるように形成することができる。また、第１導水管内に整流板を設けることができる。
【００１０】
上記各実施態様において、第１導水管を回動可能に挟んで保持する管槍支持体をさらに有する構成とすることができる。管槍支持体は、折りたたみ可能に設けられた支持脚を有することができる。支持脚は、たたんだ状態で搬送し、保持することができ、また、開いて、地面等に設置することができる。
【００１１】
ここで、管と管槍支持体とに、両者間の相対角度変位を示す角度表示器を設けることができる。この角度表示器を用いて目的の相対角度関係となるように、第１導水管を角度変位させ、管槍支持体に固定して、放水を行うことができる。
【００１２】
本願は、上述した各実施態様の管槍の第２導水管のノズル接続部にノズルを装着して構成される放水具を、目的を達成する技術の一実施態様として提供する。
【発明の効果】
【００１３】
本発明によれば、消防士が持って扱うことができる他、地面に設置しても安定に放水を行うことができる。また、無人放水が可能とする。
【図面の簡単な説明】
【００１４】
【図１】図１は、本願において第１実施形態として開示される放水具の一例を示す側面図である。
【図２】図２は、第１実施形態の放水具に用いられる管槍の一例を示す断面図である。
【図３】図３は、第１実施形態の放水具を示す正面図である。
【図４】図４は、本願において第２実施形態として開示される放水具の一例を示す側面図である。
【図５】図５は、第２実施形態の放水具に用いられる管槍の一例を示す断面図である。
【図６】図６は、上記第１実施形態の放水具に、たたんだ状態の支持脚を有する管槍支持体を取り付けた例を示す側面図である。
【図７】図７は、上記第１実施形態の支持脚を有する管槍支持体を取り付けた放水具の、支持脚を開いた状態を示す平面図である。
【図８】図８は、管槍支持体の一例を、支持脚を開いた状態で示す正面図である。
【図９】図９は、上記管槍支持体の管槍を固定する部分を示す平面図である。
【図１０】図１０は、管槍支持体の他の例を、支持脚を開いた状態で示す正面図である。
【図１１】図１１は、上記管槍支持体の他の例の管槍を固定する部分を示す平面図である。
【図１２】図１２は、本願が開示する放水具を用いて狭い空間での消火方法の一例を示す説明図である。
【図１３】図１３は、本願が開示する放水具を複数基配置して水膜を形成する方法の一例を示す説明図である。
【図１４】図１４は、本願が開示する放水具を、連結棒を使って複数基配置して水膜を形成する方法の一例を示す説明図である。
【図１５】図１５は、管槍支持体に取り付けた第２実施形態の管槍を、水平に近い状態に角度変位させ、９０度エルボを介してホースを取り付けた放水状態の一例を示す平面図である。
【発明を実施するための形態】
【００１５】
以下、本願において開示する発明の複数の実施形態に関わる技術について図面を参照して説明する。なお、実施形態を説明するための全図において、同一の部材には原則として同一の符号を付し、その繰り返しの説明は省略する。なお、以下の説明で用いる図面は、特徴をわかりやすく説明するために、部分的に実際と異なる外観、寸法、縮尺となっている場合がある。
【００１６】
図１は、本願において開示する発明を含む第１実施形態の放水具の一例を示す側面図である。図２は、第１実施形態の放水具に用いられ、それ自身が発明の一実施形態でもある管槍の一例を示す断面図である。図３は、第１実施形態の放水具を示す正面図である。図１に一例として示す放水具は、図２に断面を示す管槍１０のノズル接続部１５に、ノズル３０を装着したものである。
【００１７】
管槍１０は、第１導水管１１と第２導水管１２とを一体的に接続して構成される。本実施形態では、管体を、互いの延長線が垂直となるように曲げて形成される。この曲げは、水流が垂直方向に曲げられればよい。本実施形態では、第１導水管１１と第２導水管１２との接続部１３が湾曲面をなすように接続される。
【００１８】
管槍１０の管体としては、消防規格を満たす耐圧性を有する金属パイプ、例えばアルミニウム管等が用いられる。もちろん、これに限定されない。第１導水管１１と第２導水管１２とを一体的に接続することにより、耐圧性を向上することができる。ただし、高圧に耐えられる構造であれば、溶接、螺合による接続とすることも可能である。
【００１９】
第１導水管１１は、図１に示すように、一端にホース接続部１４を有する。ホース接続部１４は、消防の規格を満たすホースが接続できる構造とする。ホース接続部１４の近傍に、第１のハンドル１６と、一対の突起部１９とが設けられている。第１のハンドル１６は、図２に示すように、貫通孔１６ａを備え、貫通する構造となっている。一対の突起部１９は、本実施形態では、管槍１０を地面等に設置した際に、安定させるためものである。この一対の突起部１９により、後述する放水時の管槍１０の角度変位を４５度程度までとしても倒れないように支持する。また、一対の突起部１９は、管槍を地面等に設置する際のずれ等を防ぐことにも役立つ。なお、第１のハンドル１６は、後述する第２のハンドル１７のように、リング形状としてもよい。また、一対の突起部１９は、例えば、第１導水管１１の外周面の円周方向に沿って設けたレール等のスライド機構に装着され、円周方向に移動して任意の位置で固定できてもよい。また、例えば、第１導水管１１の外周面の円周方向に沿って複数個所にネジ穴を設け、一対の突起部１９を任意のネジ穴に締め付け固定できてもよい。このようにすれば、後述する放水時の管槍１０の所望の角度変位に応じて、一対の突起部１９の位置を設定できるし、後述する水平に近い角度での放水にも対応できる。なお、突起部１９は、長さ、太さなどの形状が異なる別の突起部１９に着脱交換可能でもよい。
【００２０】
第２導水管１２は、図１に示すように、ノズル接続部１５が設けられている。このノズル接続部１５は、規格のノズル３０が接続できる構造とする。この明細書においては、ノズル３０として、スムースノズルの例を示しているが、これに限定されない。例えば、散水ノズルとすることもできる。
【００２１】
図１に示すように、第２導水管１２の接続部１３の内角側に、当該第２導水管１２の屈曲方向に突出する第２のハンドル１７と、当該屈曲方向とは反対側に突出する第３のハンドル１８とを有する。第２のハンドル１７と第３のハンドル１８とは、それぞれ貫通孔１７ａ、１８ａを有する。これらのハンドル１７、１８は、第１のハンドル１６と共に、管槍１０を取り扱う際に使用することができる。第１のハンドル１６と第２のハンドル１７は、例えば、貫通孔１６ａと１７ａとに、消防士が肩に掛けるためのショルダーベルト（図示せず）のそれぞれの端部を装着することができる。管槍１０を手持ちする際にも使用することができる。また、第３のハンドル１８についても、ショルダーベルトの一端側の接続に用いることができる。
【００２２】
さらに、第３のハンドル１８は、複数の管槍１０を所望の間隔で整列させる際の位置固定に利用することができる。例えば、ノズル３０を装着した複数の管槍１０を、それらの第３のハンドル１８の貫通孔１８ａに、金属棒等を順次挿通し、各管槍１０を所望の間隔として、クランプ具等により金属棒に固定することにより整列配置を行える（図１４参照）。
【００２３】
管槍１０の内部は、図２に示すように、第１導水管１１のホース接続部１４から第２導水管１２のノズル接続部１５に連通する導水路２０となっている。この導水路２０は、上述したように、水流の方向を直角に曲げる水路となっている。すなわち、この導水路２０においては、図１に示すホース接続部１４からの水が、第１導水管１１を経て、第２導水管１２に導かれて直角に曲げられ、ノズル３０に至り、ノズル３０先端から放水される。すなわち、ノズル３０から、第１導水管１１の水流の方向に対し垂直となる方向に放水される。
【００２４】
第１導水管１１の内部には、導水路２０の長手方向に沿って、横方向に配置される整流板２１、２２と、縦方向に配置される整流板２３とが設けられる。また、第２導水管１２には、接続部１３の屈曲に沿って屈曲ガイドベーン２４が配置される。この屈曲ガイドベーン２４は、第２導水管１２のわずかに内角寄りに設けられる。これらの整流板２１、２２及び２３と、屈曲ガイドベーン２４とを設けることにより、乱流を防いで、放水の飛距離を増すことができる。
【００２５】
各整流板２１、２２及び２３は、それぞれの一部を導水管１１に固定する。また、屈曲ガイドベーン２４は、その一部を、直接、又は、他の支持部材を介して、導水管１２に固定する。
【００２６】
導水管に設置される整流板は、一般的には、同心円状に設置される。本実施形態では、図２及び図３に示すように、同心円状ではなく、流れに沿って平板状の整流板２１、２２、２３を配置している。このように配置した理由は、第２導水管１２内に配置される屈曲ガイドベーン２４に、乱れを少なくして水流を導くことを考慮したことによる。なお、それぞれの整流板２１、２２、２３は、図面では示していないが、角部分を面取り、曲面化する等により、水の抵抗を少なくする処理を施している。
【００２７】
図４は、本願において第２実施形態として開示される放水具の一例を示す側面図である。図５は、第２実施形態の放水具に用いられる管槍の一例を示す断面図である。これらの図に示す管槍４０は、第１導水管４１と第２導水管４２を一体的に接続して構成される。
【００２８】
第１導水管４１は、ホース接続部１４側の内径が大きく、第２導水管４２との接続部４３側に向かって内径が絞られるテーパー構造を有する。本実施形態は、第１導水管４１が、テーパー構造に形成されていることを除いて、上述した第１実施形態の管槍、及び、これを用いた放水具と同様に構成することができる。例えば、ホース接続部１４、ノズル接続部１５、ハンドル１６、１７、１８、整流板２１、２２、２３、及び、屈曲ガイドベーン２４等は同様の構成となる。第１導水管４１のように、テーパー構造とすることにより、緩やかな絞りにより、乱流の発生を抑制して流速を上げるため、放水の飛距離を伸ばすことができる。
【００２９】
図６は、上記第１実施形態の放水具に、管槍支持体を取り付け、支持脚をたたんだ状態を示す側面図である。図７は、上記第１実施形態の放水具に、管槍支持体を取り付け、支持脚を開いた状態を示す平面図である。図８は、管槍支持体の一例を、支持脚を開いた状態で示す正面図である。以下では、管槍１０の第１導水管１１に管槍支持体を取り付けた放水具の一例について説明する。なお、後述する図１５に示すように、第１導水管４１にも管槍支持体を取り付けることができる。
【００３０】
管槍支持体５０は、管槍１０の導水管１１を固定保持する管保持部（５２、５３、５４）と、放水時に管槍１０を支持する支持脚（５５、５６）と、これらを支持する基台５１とを有する。図７と図８とに示すように、支持脚は、地面等に設置して使用する際に開脚状態することができる。また、図６に示すように、手持ちする場合、保管する場合に、閉脚状態とすることができる。
【００３１】
管槍１０の導水管１１を固定保持する部分は、図８に示すように、基台５１に設けられた管受け具５２と、この管受け具５２と共に導水管１１を挟んで締め付ける管締め付け具５３とを有する。管受け具５２及び管締付け具５３とは、共に、導水管１１を間に挟むためのＶ溝構造を有する。管受け具５２には、外側に突出するフランジ５２ａ、５２ｂが設けられている。対応して、管締付け具５３にも、外側に突出するフランジ５３ａ、５３ｂが設けられている。また、これらのフランジ５３ａ、５３ｂのそれぞれに、スリット５３ｃ、５３ｄが設けられる。図示は省略するが、フランジ５２ａ、５２ｂについても、同様にスリットが設けられる。
【００３２】
管受け具５２と管締付け具５３とは、両者の間に導水管１１を挟んで、締め付けボルト５４により締め付ける。締め付けボルト５４は、ボルト頭部５４ａとネジ部５４ｂとを有し、ネジ部５４ｂに蝶ナット５４ｃが螺合される。蝶ナット５４ｃを用いているのは、締め付け、ゆるめが容易に行えるためである。もちろん、締め付けの道具としてはこれらに限られない。
【００３３】
フランジ５２ａ及び５２ｂと、フランジ５３ａ及びフランジ５３ｂとは、対向して配置され、図６及び図８に示すように、スリットにネジ部５４ｂを差し込んで、対向するフランジ５２ａ及び５３ａと、フランジ５２ｂ及び５３ｂとを、ボルト頭部５４ａ及び蝶ナット５４ｃにより挟み、ネジ部５４ｂに蝶ナット５４ｃを締め込んで固定する。固定する際、標準では、図示していないノズルの方向が９０度（図８参照）となるように、管槍１０と管槍支持体５０との相対角度関係を設定する。
【００３４】
基台５１の下部に、支持脚５５ａ及び５６ａが、ボルトナットで構成される支持脚取付具５７により開閉自在に取り付けられる。従って、支持脚５５ａ及び５６ａは、支持脚取付具５７を中心として、たたんだ状態（図６）と、開いた状態（図７、図８）とに角度変位可能となっている。
【００３５】
支持脚５５ａ及び５６ａは、それぞれ湾曲した先端５５ｂ及び５６ｂを有する。それぞれの支持脚先端５５ｂ及び５６ｂは、例えば、図７に示すように開脚した際の接地点として用いる。なお、支持脚取付具５７を、接地点として機能させてもよい。また、支持脚５５ａ及び５６ａは、その中間部に、図７に示すような、貫通孔５５ｃ及び５６ｃを有する。貫通孔５５ｃ及び５６ｃの大きさは、例えば、直径２０mm程度である。これらの貫通孔５５ｃ及び５６ｃには、例えば、打ち込みペグ（図１２参照）、直径１３ミリ耐荷重１５００Kgのスリング（消防用ロープ）等を挿通することができる。本実施形態では、貫通孔５５ｃ及び５６ｃは、支持脚５５ａ及び５６ａの中間部のやや先端側寄りに設けられている。もちろん、位置、大きさ等は、これに限定されない。
【００３６】
支持脚５５ａ及び５６ａは、図６に示すように、たたんだ状態で支持脚先端５５ｂと５６ｂとが重ならないように、支持脚５５ａが支持脚５６ａより相対的に長くなるように長さを異ならせている。なお、長さを等しくして、支持脚取付具５７を挿通する取付孔（図示せず）の位置を変位させてもよい。その場合、取付孔を複数箇所に設けて、開脚の支点を変更可能としてもよい。また、図６に示すように、たたんだ状態で支持脚先端５５ｂと５６ｂの間には、手指を挿入できる程度の間隔が空くように構成してもよい。これにより、消防士は、手元を見なくても、支持脚先端５５ｂと５６ｂを掴んで開く操作を行い易くなる。
【００３７】
支持脚取付具５７は、図８に示すように、ボルト５７ａ、ワッシャ５７ｂ、ワッシャ５７ｃ、ナット５７ｄ及びナット５７ｅにより構成される。支持脚取付具５７は、ワッシャ５７ｂの貫通孔、及び基台５１の取付孔（図示せず）に、ボルト５７ａのネジ部（図面には現れていない）を挿通して、支持脚５５ａ及び５６ａの取付孔、及びワッシャ５７ｃの貫通孔を挿通し、かつ、ナット５７ｄ及びナット５７ｅを螺合して、固定される。
【００３８】
図９に示す角度表示器６０は、管槍１０と管槍支持体５０との相対角度関係を設定する際に、相対変位角度を表示する。角度表示器６０は、対象とする管槍１０の第１導水管１１の上面側に、刻印あるいは貼着される角度目盛盤６１と、管締め付け具５３の中央部に刻印等により形成される角度視準６２とにより構成される。角度目盛盤６１は、図９に矢印Ａに拡大図として示すように、例えば、粘着シール材に角度目盛を印刷したものを使用することができる。本実施形態では、図３に示すように、管槍１０の第２導水管１２が接地面に対して９０度となり、左右４５度の範囲で、１５度刻みで角度変位を表示する設定としてある。
【００３９】
管槍１０の導水管１１を固定保持する部分の他の態様について、図１０及び図１１を参照して説明する。図１０に示す固定保持する部分は、基台５１に設けられた管受け具５２と、この管受け具５２と共に導水管１１を挟んで締め付ける管締め付け具５３とを有する。管受け具５２及び管締付け具５３は、共に、導水管１１を間に挟むためのＶ溝構造を有する点において、図８に示す態様と共通する。管受け具５２には、外側に突出するフランジ５２ａが設けられている。対応して、管締付け具５３にも、外側に突出するフランジ５３ａが設けられている。また、これらの５２ａ、５３ａのそれぞれに、図示は省略するが、締め付けボルト５４のネジ部５４ｂを装着するためのスリットが設けられている。
【００４０】
この実施形態では、管受け具５２の一端で軸受部５８を有し、管締付け具５３側に、回動軸５９を有する。この回動軸５９は軸受部５８により回動可能に支持される。また、この態様では、図１０及び図１１に示すように、１個の締め付けボルト５４と蝶ナット５４ｃにより、フランジ５２ａ及び５３ａを締め付けて、管受け具５２及び管締付け具５３のＶ溝に収容した管槍１０を固定する。緩める際、１個の蝶ナット５４ｃのみを操作すれば足りる。なお、管締付け具５３は、管槍１０を装着又は脱着する際には、蝶ナット５４ｃを外して、管締付け具５３を、図１０において矢印Ｂで示す方向に開閉することにより行える。
【００４１】
次に、本願が提供する管槍１０を用いた放水具による消火動作について、これまでの各図と図１２とを参照して説明する。ここでは、図６に示す管槍１０にノズル３０を装着し、さらに、管槍支持体５０を装着した放水具を用いて消火する手順の一例について説明する。
【００４２】
図６に示す放水具の管槍１０のホース接続部１４にホース７０を接続する。ここで、支持脚取付具５７のナット５７ｅを緩めて、支持脚５５ａと５６ａとを開脚できるようにしておく。また、締め付けボルトの蝶ナット５４ｃを緩めて、管槍１０の角度を変えられるようにしておく。場合によっては、予め装丁する角度、例えば、左７５度等のように、管槍１０の角度を変位させておくこともできる。この状態では、放水具を、図１２に示すように、火災現場に搬入する。その際は、例えば、ハンドル１６及び１７を消防士が手持ちして、または、ショルダーベルトを肩掛けして、搬入する。
【００４３】
火災現場では、支持脚５５ａ、５６ａをＹ字形に開脚して、建造物９１の隙間に接地する。この際、ノズル３０を燃焼域９５に向けるため、管槍１０の角度を変位させて、蝶ナット５４ｃを締め付けて固定する。このようにして、放水を開始すると、図１２のように、ホース７０からの水が、管槍１０内の導水路を介してノズル３０から吐出水流３５として、燃焼域９５に放水される。
【００４４】
このような放水によれば、放水具の向きを変えにくい狭い場所でも、放水が可能となる。また、Ｙ字形に開脚させた支持脚５５ａ、５６ａの先端５５ｂ及び５６ｂと、第１導水管１１のホース接続部近傍（又はその近傍に設けられた一対の突起部１９（図３参照））とにより、管槍１０が三点支持される。これにより、消防士が保持しなくても、無人で安定に放水が行える。
【００４５】
また、図１２に示すように、支持脚５５ａ及び５６ａの中間部に設けられている貫通孔５５ｃ及び５６ｃ（図７参照）に、ペグ７９を差し込み、先端側を地面に打ち込むことにより、支持脚５５ａ及び５６ａを、ずれを抑えると共に、浮き上がらないように抑えることが可能となる。また、ペグに代えて、スリングを挿通して固定することもできる。このように、貫通孔５５ｃ及び５６ｃを使って、支持脚５５ａ及び５６ａをより強固に固定することができる。
【００４６】
上に述べた消火例は、放水具を単独で利用する場合について述べたが、図１３に示すように、複数基を並列に配置して、延焼防止のための水膜３６を形成することができる。また、図１４に示すように、ノズル３０を装着した複数の管槍１０を、それらの第３のハンドル１８の貫通孔１８ａに（図６参照）、金属棒８０等を順次挿通し、各管槍１０を所望の間隔として、図示しないクランプ等により金属棒８０に固定することにより整列配置して、放水を行う。図１３及び図１４の例では、ノズル３０の角度変位を標準角度位置である９０度としてあるが、左右に角度を変位させてもよい。このように活用すれば、設置と維持に多額の費用がかかるドレンチャー設備の代替として安価で、しかも移動可能な放水具を実現できる。
【００４７】
以上に述べた放水具は、反動力を利用して支持脚５５ａ及び５６ａを地面に押し付けることにより、管槍を安定化して放水する方法である。垂直から左右４５度（合計９０度）のノズルの角度範囲で的確に放水することができる。一方、火災時の避難路確保等のため、水平に近い角度で放水することがある。管槍の角度変位をさらに大きくして、ノズルが水平に近い角度となるように管槍を固定保持して、放水する方法の例について、次に説明する。
【００４８】
図１５に、水平方向への放水の一例を示す。この例では、図４に示す第２実施形態の管槍４０に、図６及び図７に示す支持脚５５ａ及び５６ａと、ノズル３０とを装着した放水具により放水を行う。この例では、角度表示器６０において、９０度を中心として左右対称に０度まで、例えば、１５度刻みの角度目盛（図示せず）を設けておく。なお、この放水方法は、例えば、図１に示す管槍１０を用いる場合にも適用できることはいうまでもない。
【００４９】
また、図１５に示す放水具では、ホース接続部１４に、９０度エルボ７５を接続し、この９０度エルボ７５を介してホース７０を接続する。この際、ホース７０の接続方向は、ノズル３０の突出方向と反対方向となるようにする。管槍４０の横倒しは、管槍４０を管槍支持体５０に対して相対角度（例えば、９０度近く）変位させることにより、左右のいずれにも放水可能である。具体的には、管槍４０を固定する管受け具５２と管締め付け具５３とによる締め付けを緩めて、例えば、ホース７０を左右に振ることによって、ノズル３０の向きを反転させる。
【００５０】
ここで、支持脚５５ａ及び５６ａの貫通孔５５ｃ及び５６ｃに、例えば、ペグを差し込み、ペグの先端側を地面に打ち込み、管槍支持体５０を地面に固定する。これにより、水平方向への放水の際、管槍支持体５０に加わる水平方向の大きな反動力に対処することができる（図１２参照）。なお、貫通孔５５ｃ及び５６ｃに、スリングを通して固定することも可能である。
【００５１】
以上に述べたように、本発明は、基端側にホース接続部を有する第１導水管と、先端側にノズル接続部を有する第２導水管とを垂直方向に屈曲して接続することにより、水流を垂直に曲げて放水することができる。これにより、安定に、無人でも放水することが可能となる。
【符号の説明】
【００５２】
１０…管槍、１１…第１導水管、１２…第２導水管、１３…接続部、１４…ホース接続部、
１５…ノズル接続部、１６…第１のハンドル、１７…第２のハンドル、１８…第３のハンドル、
１９…突起部、
２０…導水路、２１、２２、２３…整流板、２４…屈曲ガイドベーン、
３０…ノズル
４０…管槍、４１…第１導水管、４２…第２導水管、４３…接続部、
５０…管槍支持体、５１…基台、５２…管受け具、５３…締め付け具、
５４…締付けボルト、５４ａ…締め付けボルト頭部、５４ｂ…ネジ部、５４ｃ…蝶ナット、
５５ａ、５６ａ…支持脚、５５ｂ、５６ｂ…支持脚先端、５５ｃ…貫通孔、５７…支持脚取付具、
６０…角度表示器、６１…角度目盛、６２…角度視準
７０…ホース、７５…９０度エルボ、７９…ペグ、８０…連結棒、９１…建造物、９５…燃焼域
【要約】
【課題】消防士が持って扱うことができる他、地面に設置しても安定に放水が行え、無人放水を可能とする技術を提供する。
【解決手段】基端側にホース接続部１４を有する第１導水管１１と、先端側にノズル接続部１５を有する第２導水管１２とを備える管槍であって、第２導水管１２は、第１導水管１１に対して垂直方向に屈曲し、一体的に接続される。
【選択図】図１【図１】
0006924535.tif 000002
【図２】
0006924535.tif 000003
【図３】
0006924535.tif 000004
【図４】
0006924535.tif 000005
【図５】
0006924535.tif 000006
【図６】
0006924535.tif 000007
【図７】
0006924535.tif 000008
【図８】
0006924535.tif 000009
【図９】
0006924535.tif 000010
【図１０】
0006924535.tif 000011
【図１１】
0006924535.tif 000012
【図１２】
0006924535.tif 000013
【図１３】
0006924535.tif 000014
【図１４】
0006924535.tif 000015
【図１５】
0006924535.tif 000016